(57)【特許請求の範囲】
【請求項１】
ノーズ部材の開口部に配置された無色または有色透明樹脂からなる照光ノブと、不透明であり、透光性を有するアクチュエータと、このアクチュエータに光を照射する光源と、前記照光ノブの押圧操作時に前記アクチュエータによって押圧駆動されるスイッチ素子とを備え、前記光源の光を前記アクチュエータで拡散させて前記照光ノブを照光させる照光式スイッチ装置において、
前記アクチュエータには前記ノーズ部材の裏面と対向する前縁部を設け、この前縁部には切欠きを設け、
前記照光ノブの後部を前記アクチュエータに係止させることによって両者を一体化すると共に、この照光ノブに側方へ突出して前記ノーズ部材の裏面と対向し、前記切欠き内に収納されるストッパ部を設け、
前記アクチュエータの前縁部と前記ストッパ部とが前記ノーズ部材の裏面と対向するように配置されていることを特徴とする照光式スイッチ装置。
【請求項２】
請求項１の記載において、前記照光ノブの後部を前記アクチュエータに対して嵌合させたことを特徴とする照光式スイッチ装置。
【発明の詳細な説明】
【０００１】
【発明の属する技術分野】
本発明は、ノーズ部材の開口部に配置させた照光ノブを押圧操作してスイッチングが行われ、かつ該照光ノブを透明感のある輝きで照光させることが可能な照光式スイッチ装置に関する。
【０００２】
【従来の技術】
この種の照光式スイッチ装置は、押圧操作用のノブとして無色または有色透明樹脂からなる照光ノブを採用しており、この照光ノブをＬＥＤ等の光源の光できらきらと輝かせることができるので、特に暗所において優れた意匠性を示す。
【０００３】
従来、このような照光式スイッチ装置では、例えばアクリル等の透明樹脂に染料等を混入させてなる有色透明な照光ノブと、乳白色等を呈し不透明ではあるが透光性を有するアクチュエータとを公知の２色成形技術を用いて作製しており、両者の境界面である照光ノブの後端面がアクチュエータに密着されている。この照光ノブおよびアクチュエータの一体品は、車内のインストルメントパネル等に設置されているノーズ部材の開口部に照光ノブを露出させた状態で組み込まれ、ノーズ部材の内部では、アクチュエータがプリント基板上のタクトスイッチやＬＥＤの前方に配置される。
【０００４】
このように構成された照光式スイッチ装置においては、照光ノブを押し込むことによりアクチュエータを介してタクトスイッチをオン／オフ動作させることができ、また、ＬＥＤを点灯させると、その光がアクチュエータの内部で拡散されて照光ノブの後端面に供給されるため、特に暗所において照光ノブを透明感のある輝きで照光させることができる。
【０００５】
【発明が解決しようとする課題】
上述した従来の照光式スイッチ装置は、照光ノブとアクチュエータとを２色成形によって作製している関係上、両者の境界面が高温で融着された状態になっており、この境界面に相当する照光ノブの後端面をカットガラスのように平坦に形成することはできない。そのため、透光性を有するアクチュエータから拡散された透過光が照光ノブの後端面に供給されても、この照光ノブをカットガラスのように美しく輝かせることができず、意匠性を向上させるうえで障害となっていた。また、２色成形技術を採用すると金型費や加工費が嵩むため、製造コストの高騰が避けられないという問題もあった。
【０００６】
本発明は、このような従来技術の実情に鑑みてなされたもので、その目的は、照光ノブをカットガラスのように美しく輝かせることが可能で、かつ製造コストの低減化も図れる照光式スイッチ装置を提供することにある。
【０００７】
【課題を解決するための手段】
本発明は、不透明であり、透光性を有するアクチュエータに対して別体の照光ノブを係止させて両者を一体化すると共に、この照光ノブにノーズ部材の裏面と対向し、アクチュエータの切欠き内に収納されるストッパ部を突設することとした。これにより、２色成形が不要となるので、製造コストが低減できると共に、照光ノブの後端面を平坦に形成することができて該照光ノブをカットガラスのように美しく輝かせることが可能となる。また、照光ノブが手前へ強く引っ張られた場合にも、ストッパ部がノーズ部材に当接して位置規制されるので、該照光ノブがアクチュエータから脱落する心配がなくなる。
【０００８】
【発明の実施の形態】
本発明の照光式スイッチ装置では、ノーズ部材の開口部に配置された無色または有色透明樹脂からなる照光ノブと、不透明であり、透光性を有するアクチュエータと、このアクチュエータに光を照射する光源と、前記照光ノブの押圧操作時に前記アクチュエータによって押圧駆動されるスイッチ素子とを備え、前記光源の光を前記アクチュエータで拡散させて前記照光ノブを照光させる照光式スイッチ装置において、前記アクチュエータには前記ノーズ部材の裏面と対向する前縁部を設け、この前縁部には切欠きを設け、前記照光ノブの後部を前記アクチュエータに係止させることによって両者を一体化すると共に、この照光ノブに側方へ突出して前記ノーズ部材の裏面と対向し、前記切欠き内に収納されるストッパ部を設け、前記アクチュエータの前縁部と前記ストッパ部とが前記ノーズ部材の裏面と対向するように配置されている構成とした。
【０００９】
このように構成された照光式スイッチ装置は、単独に成形しておいた照光ノブの後部を別体のアクチュエータに係止させればよいので、両者を２色成形で作製する場合に比べて、製造コストを低減できるのみならず、アクチュエータからの拡散光が供給される照光ノブの後端面を平坦面となすことができるため、照光ノブをカットガラスのように美しく輝かせることが可能となって意匠性の向上が図れる。また、照光ノブが手前へ強く引っ張られた場合にも、ストッパ部がノーズ部材に当接して位置規制されるので、該照光ノブがアクチュエータから脱落することを確実に防止できる。
【００１０】
上記の構成において、照光ノブの後部とアクチュエータを一体化する手段としてスナップ結合や接着を用いることも可能であるが、照光ノブの後部をアクチュエータに対して嵌合させて両者を一体化することが好ましく、これにより照光ノブとアクチュエータの形状が単純化されるため、製造コストのさらなる低減が可能となる。
【００１１】
【実施例】
本発明の実施例を図面を参照して説明すると、図１は実施例に係る照光式スイッチ装置の断面図、図２は図１のＡ部拡大図、図３は図１に示す照光ノブおよびアクチュエータの一体品を示す斜視図、図４は図３に示す照光ノブとアクチュエータとを一体化する際の工程説明図である。
【００１２】
図１に示す照光式スイッチ装置は、側方に複数のストッパ部１ａを突設した照光ノブ１と、この照光ノブ１に一体化されたアクチュエータ２と、プリント基板３上に実装されてアクチュエータ２の後端面に近接して対向するタクトスイッチ４と、同じくプリント基板３上に実装されてアクチュエータ２に光を照射するＬＥＤ５とによって概略構成されている。照光ノブ１はアクリル等の透明樹脂に染料等を混入させた有色透明材料であり、その後端面１ｂは平坦に成形されている。一方、アクチュエータ２は乳白色等の不透明ではあるが透光性を有する樹脂材料であり、その前面には周縁に複数の切欠き２ｂを有する凹部２ａが形成されており、この凹部２ａの内底面も平坦に成形されている。図３，４に示すように、照光ノブ１の後部をアクチュエータ２の凹部２ａ内に軽嵌合させることで両者１，２は一体化されており、各ストッパ部１ａはそれぞれ切欠き２ｂ内に挿入されている。ただし、照光ノブ１の後部をアクチュエータ２に嵌め込んでも、図２に示すように、照光ノブ１の後端面１ｂとアクチュエータ２の凹部２ａの内底面との間には微少なクリアランスＣが確保されている。
【００１３】
このような構成の照光式スイッチ装置において、照光ノブ１およびアクチュエータ２の一体品は、車内のインストルメントパネル等に設置されているノーズ部材６の開口部６ａに照光ノブ１を露出させた状態で組み込まれ、照光ノブ１の各ストッパ部１ａがノーズ部材６の裏面と対向する位置に配置される。また、ノーズ部材６の内部では、照光ノブ１のストッパ部１ａとアクチュエータ２の凹部２ａの前縁部がノーズ部材６の裏面と対向し、アクチュエータ２がプリント基板３上のタクトスイッチ４やＬＥＤ５の前方に配置される。そして、照光ノブ１を押し込むとアクチュエータ２を介してタクトスイッチ４をオン／オフ動作させることができ、また、ＬＥＤ５を点灯させるとその光がアクチュエータ２の内部で拡散されて照光ノブ１の後端面１ｂに供給されるようになっている。
【００１４】
上述したように本実施例では、別々の成形品である照光ノブ１とアクチュエータ２とを軽嵌合させることで両者１，２を一体化しているので、照光ノブとアクチュエータとを２色成形で作製する場合に比べ、金型費を含めた製造コストを大幅に低減することができる。また、照光ノブ１とアクチュエータ２が単独の成形品であるため、アクチュエータ２からの拡散光が供給される照光ノブ１の後端面１ｂを平坦化することができ、それゆえ照光ノブ１をカットガラスのように美しく輝かせることができる。また、本実施例ではノーズ部材６の裏面と対向するストッパ部１ａが照光ノブ１に突設してあるので、この照光ノブ１が手前へ強く引っ張られた場合でも、ストッパ部１ａがノーズ部材６に当接して位置規制されることにより、照光ノブ１がアクチュエータ２から脱落することを確実に防止できる。すなわち、照光ノブ１の後部をアクチュエータ２に軽嵌合させただけの簡素な一体化構造ではあっても、照光ノブ１にストッパ部１ａが付設してあるため、両者１，２の一体化が損なわれる心配はない。
【００１５】
なお、上述した実施例では、照光ノブ１の後部をアクチュエータ２に軽嵌合させるという一体化構造を採用しているが、強嵌合やスナップ結合等の他の手法によって両者１，２を一体化させてもよく、要は、照光ノブ１の後部が別体のアクチュエータ２に係止されるような構造であればよい。また、ストッパ部１ａは、ノーズ部材６に当接して照光ノブ１の脱落を防止するためのものなので、その大きさや形状は任意に設定可能である。
【００１６】
【発明の効果】
本発明は、以上説明したような形態で実施され、以下に記載されるような効果を奏する。
【００１７】
照光ノブの後部を、不透明であり透光性を有するアクチュエータに係止させることによって両者を一体化すると共に、この照光ノブに側方へ突出してノーズ部材の裏面と対向し、アクチュエータの切欠き内に収納されるストッパ部を設けたため、照光ノブとアクチュエータを２色成形で作製する場合に比べ、製造コストを低減することができる共に、照光ノブの後端面を平坦に形成することができ、該照光ノブをカットガラスのように美しく輝かせることが可能となる。また、こうしてアクチュエータに一体化させた照光ノブが手前へ強く引っ張られた場合にも、ストッパ部がノーズ部材に当接して位置規制されるため、照光ノブがアクチュエータから脱落する心配はない。
【図面の簡単な説明】
【図１】本発明の実施例に係る照光式スイッチ装置の断面図である。
【図２】図１のＡ部拡大図である。
【図３】図１に示す照光ノブおよびアクチュエータの一体品を示す斜視図である。
【図４】図３に示す照光ノブとアクチュエータとを一体化する際の工程説明図である。
【符号の説明】
１  照光ノブ
１ａ  ストッパ部
１ｂ  後端面
２  アクチュエータ
２ａ  凹部
２ｂ  切欠き
３  プリント基板
４  タクトスイッチ（スイッチ素子）
５  ＬＥＤ（光源）
６  ノーズ部材
６ａ  開口部
Ｃ  クリアランス
【図１】
0004203217.tif 000002
【図２】
0004203217.tif 000003
【図３】
0004203217.tif 000004
【図４】
0004203217.tif 000005